(57)【要約】【課題】構造が簡略化され、より趣味性及びエンターテイメント性を有し、携帯しやすい自動回転写真枠を提供する。【解決手段】写真枠本体２と、支持体４と、支持体４に接続された駆動手段６と、駆動手段６に接続され写真枠本体２と固定的接続されたアクチュエーター８とを備え、それらの支持体４、駆動手段６及びアクチュエーター８は、いずれも写真枠本体２の内に収容される。写真枠本体２は、フレーム枠２２と、フレーム枠２２の内に取り付けられた蓋板２４とを有し、写真枠本体２には、支持体４を露出する開口が設けられる。駆動手段６は、本体とその本体から伸び出した出力軸とを有し、駆動手段６の本体は、モーター６２及びそのモーター６２と電気的に接続される電池取付座６３を有する。【選択図】図１
0003143817.tif 000002
【実用新案登録請求の範囲】
【請求項１】
写真枠本体と、
前記写真枠本体に収容されその開口から露出する支持体と、
前記支持体に接続され前記写真枠本体に収容される駆動手段と、
前記写真枠本体内で前記駆動手段に接続されるとともに前記写真枠本体に固定的に接続されるアクチュエーターと、を備え、
前記駆動手段は、本体と、前記本体から伸び出した出力軸とを有し、前記駆動手段の本体は、モーターおよび前記モーターと電気的に接続される電池取付座を有することを特徴とする自動回転式写真枠。
【請求項２】
前記写真枠本体の前記開口は、前記支持体とともに前記写真枠本体の外表面を少し露出させ、その露出した外表面は前記写真枠本体の完整性を保持し、
前記写真枠本体は、フレーム枠と、前記フレーム枠の内に取り付けられた蓋板とを有し、前記フレーム枠及び前記蓋板のそれぞれに対応して磁石が設けられ、前記蓋板は、前記磁石の磁力により前記フレーム枠に吸着することを特徴とする請求項１に記載の自動回転式写真枠。
【請求項３】
前記駆動手段の本体は、前記支持体と固定的に接続され、前記駆動手段の前記出力軸は、前記アクチュエーターと固定的に接続され、
前記支持体は、支持ベースと、前記支持ベースと固定的に接続された接続軸とを有し、前記支持ベースは、前記写真枠本体の前記開口に接触せずに収容され、前記接続軸は、前記駆動手段の前記本体と固定的に接続され、
前記モーターの前記支持体に対向する位置には、前記支持体の前記接続軸と固定的に接続される接続穴を有する接続部が設けられ、前記モーターの前記接続部に対向する反対側には、前記アクチュエーターと固定的に接続される出力軸が設けられ、
前記写真枠本体は、前記開口に対応する場所に取付座を設け、前記取付座の側壁と前記支持体との間には、軸受が実装され、
前記電池取付座と前記モーターとが接続された回路にはスイッチが設けられることを特徴とする請求項１に記載の自動回転式写真枠。
【請求項４】
前記駆動手段の前記電池取付座は前記支持体の内に設けられ、
前記電池取付座の蓋板は、前記支持体の前記写真枠本体の前記開口に対応する端部に設けられることを特徴とする請求項３に記載の自動回転式写真枠。
【請求項５】
前記駆動手段の前記本体は、前記アクチュエーターと固定的に接続され、
前記駆動手段の前記出力軸は、前記支持体と固定的に接続され、
前記支持体は、接触されずに前記写真枠本体の前記開口に収容され、前記支持体の前記開口から離れた一方端には、前記駆動手段の前記出力軸と固定的に接続されるための固定穴が設けられ、
前記モーターの前記支持体に対向する一方側の面に設けられたランドは、前記アクチュエーターと固定的に接続され、
前記アクチュエーターは、円筒状をなし、その上には、前記ランドを収容するための接続穴が設けられ、
前記出力軸は、前記ランドから伸び出し、且つ、前記支持体と固定的に接続され、
前記アクチュエーターの側壁と前記駆動手段の前記出力軸との間には、軸受がさらに実装され、
前記電池取付座と前記モーターとが接続された回路にはスイッチが設けらることを特徴とする請求項１に記載の自動回転式写真枠。
【請求項６】
前記駆動手段の前記電池取付座は前記写真枠本体に設けられ、前記電池取付座の蓋板は、前記写真枠本体と前記電池取付座とが接続された場所に設けられることを特徴とする請求項５に記載の自動回転式写真枠。
【考案の詳細な説明】
【技術分野】
【０００１】
本考案は、回転式写真枠に関し、特に、その内部に駆動手段及びその駆動手段と固定的に接続された支持体を設けることにより、駆動手段の駆動によって支持体の周りに自動的に回動可能な自動回転式写真枠に関する。
【背景技術】
【０００２】
工芸品が日増しに発展するにつれて、工芸品に対する趣味性とエンターテイメント性の要求もだんだん高まりつつあり、多くの工芸品は静的から動的へ発展する。写真枠も、従来の単一的な写真面の平面的構造から複数の写真面を有する立体的構造へとだんだん発展し、該立体的構造は回動可能になって、観覧者は別に動作しなくても全ての写真を観覧することができ、写真枠の趣味性も高める。通常、従来の回転写真枠は、外設された支持ベースに取り付けられ、支持ベース上に設けられた駆動手段によって、写真枠が、該支持ベースを回って回動するように駆動する。
しかしながら、写真枠は、ある接続部材を介して支持ベースと機械的に接続されて、支持ベースから任意に分離することができない。これは、工芸品の趣味性及びエンターテイメント性を高めるのに不利であることはいうまでもない。さらに、該支持ベースは、写真枠の体積も増加させ、同時に、写真枠のモデリング趣味性を制限する。
【考案の開示】
【考案が解決しようとする課題】
【０００３】
本考案は、その内部に駆動手段及びその駆動手段と固定的に接続された支持体を設けることにより、任意物体上で支持体の周りに自動的に相対回動を可能にして、格別に特定な支持ベースを配置することなしに、回転写真枠の構造が簡略化され、回転写真枠をより趣味性及びエンターテイメント性を有するようにし、さらに携帯しやすい自動回転式写真枠を提供することを目的とする。
【課題を解決するための手段】
【０００４】
上記した目的を達成するために、本考案の自動回転式写真枠は、写真枠本体と、支持体と、支持体に接続された駆動手段と、駆動手段に接続され写真枠本体と固定的接続されたアクチュエーターとを備え、それらの支持体、駆動手段及びアクチュエーターは、いずれも写真枠本体の内に収容される。写真枠本体は、フレーム枠と、フレーム枠の内に取り付けられた蓋板とを有し、該写真枠本体には、支持体を露出する開口が設けられる。該駆動手段は、本体とその本体から伸び出した出力軸とを有し、該駆動手段の本体は、モーター及びそのモーターと電気的に接続される電池取付座を有する。      
【０００５】
（考案の効果）
本考案に係る自動回転式写真枠によれば、その構造が簡単であり、はしこいで便利であり、回転写真枠の趣味性及びエンターテイメント性を高め、かつ当該回転写真枠の携帯に有利である。
本考案の特徴及び技術内容をさらに理解いただくために、以下の本考案に係る詳細な説明と図面を参照されたい。なお、添付された図面は参照用及び説明用のものであり、本考案を制限するものではない。
【考案を実施するための最良の形態】
【０００６】
以下、図面に基づいて、本考案の実施形態による自動回転式写真枠について詳細に説明する。
（第１実施形態）
図１から図４に示すように、本考案の第１実施形態による自動回転式写真枠は、写真枠本体２と、支持体４と、支持体４に接続された駆動手段６と、駆動手段６に接続され写真枠本体２に固定的に接続されたアクチュエーター８とを備える。それらの支持体４、駆動手段６及びアクチュエーター８は、いずれも写真枠本体２の内に収容される。この写真枠本体２には開口２０が設けられ、支持体４はその開口２０を少し露出させ、その露出した外表面は、実質的に写真枠本体２の一部を構成し、写真枠本体２の完整性を保持する。写真枠本体２は、フレーム枠２２と、フレーム枠２２上に取り付けられた透明蓋板２４とを有し、写真（図示せず）は、そのフレーム枠２２と蓋板２４との間に配置することができ、フレーム枠２２及び蓋板２４のそれぞれには、磁石２５が対応して設けられ、磁力により、蓋板２４をフレーム枠２２上に吸着させる。
【０００７】
支持体４は、支持ベース４０と、支持ベース４０上に取り付けられた接続軸４２とを有し、支持ベース４０は、写真枠本体２の開口２０に収容され、且つ開口２０とは接触しない。支持体４の露出された表面は、写真枠本体２の外表面の完整性を図るために実質的に写真枠本体２の外表面の一部を構成し、これにより、写真枠本体２全体のモデリングに影響を与えないようにする。接続軸４２は、駆動手段６と固定的に接続される。本実施形態に係る自動回転式写真枠を他の物体上に置いて回転させるとき、写真枠本体２は支持体４を遮り、一般の観覧者には支持体４が見えない。従って趣味性が増す。
【０００８】
駆動手段６は、本体と、本体から伸び出した回動可能な出力軸とを備え、該本体は、モーター６２と、モーターと電気的に接続された電池取付座６３と、電池取付座６３に取り付けられた電池６４とを備える。本実施形態において、モーター６２の支持体４に対向する位置には、接続穴６８を有する接続部６６が設けられる。支持体４の接続軸４２は、接続部６６の接続穴６８内に挿入可能であって、駆動手段６と支持体４とを固定的に接続させる。モーター６２の接続部６６に対向する反対側には、アクチュエーター８と固定的に接続される出力軸７０が設けられている。本実施形態において、アクチュエーター８は、平板状をなし、接着のりを介してフレーム枠２２に固定的に接続されてもよい。電池６４は、乾電池、充電電池などでもよく、モーターは減速モーターであってもよい。
【０００９】
モーター本体６２は、電源に接続されてオンされると、モーター本体６２の出力軸７０は、写真枠本体２をこの支持体４の周りに回動するようにアクチュエーター８を駆動することができる。支持体４は写真枠本体２と直接接触していないため、写真枠本体２が駆動手段６により駆動されて回動する場合、支持体４は固定されて変動しない。これにより、本考案の自動回転式写真枠を整体的に他の物体の位置に対して固定し変動しないように確保する。
【００１０】
（第２実施形態）
図５及び図６に示すように、本考案の第２実施形態による自動回転式写真枠において、写真枠本体２は、開口２０に対応する場所に取付座２６を設け、取付座２６の側壁と支持体４との間に軸受１０を実装することにより、写真枠本体２と支持体４との間に非直接接触の相対回動可能な活動接続を形成するとともに、写真枠本体２と支持体４との相対的位置関係を確保している。軸受１０は、スライド軸受又はベアリングを採用してもよい。軸受１０の内輪は支持体４の接続軸４２と固定的に接続され、軸受１０の外輪は取付座２６の側壁と固定的に接続されている。
【００１１】
（第３実施形態）
図７及び図８に示すように、本考案の第３実施形態による自動回転式写真枠において、駆動手段６の電池取付座６３’は支持体４に設けられる。電池取付座６３’は、従来の電池ボックスの構造であってもよい。電池取付座の蓋板７２は、支持体の写真枠本体２の開口２０に対応する端部に設けられ、蓋板７２を開いて電池を換えることができる。電池取付座の蓋板７２は、従来の技術によって電池取付座６３’に接続されてもよい。電源が駆動手段に供給されるように、電池取付座６３’と駆動手段のモーター６２が電気的に接続される。
【００１２】
（第４実施形態）
図９から図１１は、本考案の第４実施形態による自動回転式写真枠である。本実施形態において、アクチュエーター８’は、写真枠本体２と一体に成形される。また、アクチュエーター８’は、写真枠本体２と個別的に製造され、固定的に接続されてもよい。支持体４は、支持ベース４０と、駆動手段６と固定的に接続されるように、支持ベース４０の自由端に設けられた固定穴４６とを備える。
駆動手段の本体はアクチュエーター８’と固定的に接続される。出力軸７０は、支持体４の固定穴４６に挿込されることにより、支持体４と固定的に接続される。本実施形態において、モーター６２の支持体４に対向する一方側の面に設けられるランド６９は、アクチュエーター８’に固定的に接続される。アクチュエーター８’は、円筒状であり、その上には、ランド６９を収容するための接続穴８２を設けている。出力軸７０は、ランド６９から伸び出し、且つ支持体の固定穴４６に挿込されることにより、駆動手段６を支持体４に固定的に接続させる。
【００１３】
（第５実施形態）
図１２に示すように、本考案の第５実施形態による自動回転式写真枠において、アクチュエーター８’の側壁と出力軸７０との間に軸受１０を実装することにより、写真枠本体２と出力軸７０との間に、非直接接触の相対回動可能な活動接続を形成するとともに、写真枠本体２と出力軸７０との相対的位置関係を確保している。軸受１０の内輪は出力軸７０と固定的に接続され、軸受１０の外輪はアクチュエーター８’の側壁と固定的に接続されている。
【００１４】
（第６実施形態）
図１３及び図１４に示すように、本考案の第６実施形態による自動回転式写真枠において、駆動手段６の電池取付座６３’は写真枠本体２に設けられ、電池取付座６３’は、従来の電池ボックスの構造であってもよい。電池取付座６３’の蓋板７２は、写真枠本体２と電池取付座６３’の接続位置に設けられ、蓋板７２を開いて電池を換えることができる。電池取付座の蓋板は、従来の技術によって電池取付座に接続されてもよい。電源が駆動手段に供給されるように、電池取付座と駆動手段６のモーター６２が電気的に接続される。
また、１つの選択的実施形態として、電池取付座とモーターとの接続された回路にスイッチ（図示せず）を設けてもよく、このようなスイッチは、現行の鋼球接触導通式スイッチであってもよい。
【００１５】
（産業上の利用可能性）
総じて、本考案の自動回転式写真枠は、任意物体上で支持体の周りに自動的に回動可能であり、格別に特定な支持ベースを配置する必要はなく、回転写真枠の構造を簡略化でき、回転写真枠をより趣味性及びエンターテイメント性を有するようにでき、さらに携帯しやすくすることができる。且つ、支持体に駆動手段の出力軸を直接固定接続させることにより、駆動手段の本体とアクチュエーターとを固定的に接続させる。従って、回転写真枠の構造を簡略化し、コストダウンを有利にすることができる。
以上より、当業者であれば、本考案の技術案及び技術的発想によって、本願に対して他の対応する変更及び変形を行うことができるが、それらの変更及び変形は、いずれも本願の添付した請求の範囲に属するものである。
【図面の簡単な説明】
【００１６】
【図１】本考案の第１実施形態による自動回転式写真枠を示す分解斜視図である。
【図２】本考案の第１実施形態による自動回転式写真枠のモーターを図１とは別の方向から見た斜視図である。
【図３】本考案の第１実施形態による自動回転式写真枠を示す斜視図である。
【図４】図３の４−４線に沿う断面図である。
【図５】本考案の第２実施形態による自動回転式写真枠を示す分解斜視図である。
【図６】本考案の第２実施形態による自動回転式写真枠を示す断面図である。
【図７】本考案の第３実施形態による自動回転式写真枠を示す分解斜視図である。
【図８】本考案の第３実施形態による自動回転式写真枠を示す断面図である。
【図９】本考案の第４実施形態による自動回転式写真枠の分解斜視図である。
【図１０】本考案の第４実施形態による自動回転式写真枠を示す斜視図である。
【図１１】図１０の１１−１１線に沿う断面図である。
【図１２】本考案の第５実施形態による自動回転式写真枠を示す断面図である。
【図１３】本考案の第６実施形態による自動回転式写真枠の分解斜視図である。
【図１４】本考案の第６実施形態による自動回転式写真枠を示す断面図である。
【符号の説明】
【００１７】
２：写真枠本体、４：支持体、６：駆動手段、８：アクチュエーター、８’：アクチュエーター、１０：軸受、２０：開口、２２：フレーム枠、２４：蓋板、２５：磁石、２６：取付座、４０：支持ベース、４２：接続軸、４６：固定穴、６２：モーター、６３：電池取付座、６３’：電池取付座、６４：電池、６６：接続部、６８：接続穴、６９：ランド、７０：出力軸、７２：蓋板、８２：接続穴
【図１】
0003143817.tif 000003
【図２】
0003143817.tif 000004
【図３】
0003143817.tif 000005
【図４】
0003143817.tif 000006
【図５】
0003143817.tif 000007
【図６】
0003143817.tif 000008
【図７】
0003143817.tif 000009
【図８】
0003143817.tif 000010
【図９】
0003143817.tif 000011
【図１０】
0003143817.tif 000012
【図１１】
0003143817.tif 000013
【図１２】
0003143817.tif 000014
【図１３】
0003143817.tif 000015
【図１４】
0003143817.tif 000016